(57)【要約】      （修正有）【課題】ソーシャルネットワーキングサービスを利用して、ユーザーが商品比較をしやすい環境を実現するソーシャルネットワーキングサービス用広告システムを提供する。【解決手段】コンピュータを用いて、ソーシャルネットワーキングサービスに係るＳＮＳ表示データをユーザーの端末装置に提供するソーシャルネットワーキングサービス用の広告システムにおいて、コンピュータがＳＮＳ表示データ、およびリンクを貼るページのアドレスとそのリンク先のアドレスとの対応付けを示すリンク設定データを記憶する記憶手段と、端末装置からの、前記リンク設定データの登録の依頼を受け付け、記憶手段のリンク設定データを更新するリンク設定データ更新手段と、ユーザーの端末装置からコンピュータにアクセスしてきたときに、記憶手段から読み出して、ＳＮＳ表示データとともに、リンク設定データに基づいたリンクを表示するよう、ユーザーの端末装置に対して配信する。【選択図】図１
2008191750.tif 000002
【特許請求の範囲】
【請求項１】
コンピュータを用いて、ソーシャル・ネットワーキング・サービスに係るＳＮＳ表示データをユーザーの端末装置に提供するソーシャル・ネットワーキング・サービス用の広告システムにおいて、
前記コンピュータが、
前記ＳＮＳ表示データ、およびリンクを貼るページのアドレスとそのリンク先のアドレスとの対応付けを示すリンク設定データを記憶する記憶手段と、
端末装置からの、前記リンク設定データの登録の依頼を受け付け、前記記憶手段の前記リンク設定データを更新するリンク設定データ更新手段と、
ユーザーの端末装置から該コンピュータにアクセスしてきたときに、前記記憶手段から読み出して、前記ＳＮＳ表示データとともに、前記リンク設定データに基づいたリンクを表示するよう、該ユーザーの端末装置に対して配信するＳＮＳデータ配信手段と
を備えたことを特徴とするソーシャル・ネットワーキング・サービス用の広告システム。
【請求項２】
前記リンク設定データ更新手段が、自ページへのリンクを貼り付けることができる他ページの数を、「ユーザー毎貼付限度数」で制限することを特徴とする請求項１に記載のソーシャル・ネットワーキング・サービス用の広告システム。
【請求項３】
前記リンク設定データ更新手段が、各ページのそれぞれに、他ページへのリンクを貼り付けることができる数を、「ページ毎貼付限度数」で制限することを特徴とする請求項１に記載のソーシャル・ネットワーキング・サービス用の広告システム。
【発明の詳細な説明】
【技術分野】
【０００１】
本発明はソーシャル・ネットワーキング・サービス用広告システムに関し、詳しくは、ソーシャル・ネットワーキング・サービスにおいて、広告主に依頼された広告を各ユーザーが行うソーシャル・ネットワーキング・サービス用広告システムに関する。
【背景技術】
【０００２】
最近では、非特許文献１に記載のようなソーシャル・ネットワーキング・サービスと呼ばれるサービスが提供され、大変多くの人に利用されている。
【０００３】
ソーシャル・ネットワーキング・サービスとは、何らかの繋がりのある人どうしが仲間を形成し、その仲間どうしだけでネットワーク上で会話をする環境を提供するものである。
【０００４】
このネットワーク上での会話は、たとえば、ユーザーがパソコン等によって文字入力するとともに他のユーザーが入力した文字を画面に表示して閲覧するような形で行われる。
【０００５】
ソーシャル・ネットワーキング・サービスを提供する運営会社において、その運営資金を得るための手段のひとつとして、ユーザーが閲覧する画面に広告を表示し、その広告主から広告料を得ることが行われていた。
【０００６】
ところで最近では、非特許文献２に記載のように、インターネット上に仮想商店街を開き、各店舗ごとにインターネット上のホームページを設け、このホームページにて各店舗で扱う商品の通信販売を案内するビジネスモデルが実施されている。
【０００７】
【非特許文献１】ソーシャル・ネットワーキング・サービス［mixi（ミクシィ）］、［online］、株式会社ミクシィ、［平成１９年１月２２日検索］、インターネット＜URL：http://mixi.jp/home.pl＞
【非特許文献２】インターネット商店街［楽天市場］、［online］、株式会社楽天、［平成１９年１月２２日検索］、インターネット＜URL：http://www.rakuten.co.jp/＞
【発明の開示】
【発明が解決しようとする課題】
【０００８】
インターネット以外の実際の店舗などでユーザーが買い物をする場合、競合商品どうしで機能や性能の比較をしたり、競合店舗での販売価格を比較したりなどして、買う商品や買う店を決定するわけだが、インターネット上の店舗を利用する場合も同様に、さまざまな商品比較をする要望があると思われる。
【０００９】
これに対応し、インターネット上の店舗において商品比較をする場合には、比較が容易なように各商品のページに対するリンクが貼られていることが望ましい。
【００１０】
ところが、非特許文献２に記載のような従来のインターネット上の仮想商店街では、各店舗の運営者は、自身のインターネット上のページに、競合する商品のページへのリンクを貼り付けることは、自身が不利益を受ける可能性があるため、とても承認できるものではなく、実現不可能なことであった。
【００１１】
これに対し本発明者らは、非特許文献１に記載のようなソーシャル・ネットワーキング・サービスを利用して、インターネット上でユーザーが商品比較をしやすい環境を実現するよう検討し、本願発明をするに到った。
【００１２】
本発明のソーシャル・ネットワーキング・サービス用広告システムによれば、各店舗の運営者は、他社のインターネット上のページに、自社の商品等のページへのリンクを貼り付けて、その商品等の広告を行うことができる。
【００１３】
本発明は上記の点にかんがみてなされたもので、ソーシャル・ネットワーキング・サービスを利用して、インターネット上でユーザーが商品比較をしやすい環境を実現するソーシャル・ネットワーキング・サービス用広告システムを提供することを目的とする。
【課題を解決するための手段】
【００１４】
本発明は上記の目的を達成するために、コンピュータを用いて、ソーシャル・ネットワーキング・サービスに係るＳＮＳ表示データをユーザーの端末装置に提供するソーシャル・ネットワーキング・サービス用の広告システムにおいて、前記コンピュータが、前記ＳＮＳ表示データ、およびリンクを貼るページのアドレスとそのリンク先のアドレスとの対応付けを示すリンク設定データを記憶する記憶手段と、端末装置からの、前記リンク設定データの登録の依頼を受け付け、前記記憶手段の前記リンク設定データを更新するリンク設定データ更新手段と、ユーザーの端末装置から該コンピュータにアクセスしてきたときに、前記記憶手段から読み出して、前記ＳＮＳ表示データとともに、前記リンク設定データに基づいたリンクを表示するよう、該ユーザーの端末装置に対して配信するＳＮＳデータ配信手段とを備えたことを特徴とする。
【００１５】
また本発明は請求項１に記載の発明において、前記リンク設定データ更新手段が、自ページへのリンクを貼り付けることができる他ページの数を、「ユーザー毎貼付限度数」で制限することを特徴とする。
【００１６】
また本発明は請求項１に記載の発明において、前記リンク設定データ更新手段が、各ページのそれぞれに、他ページへのリンクを貼り付けることができる数を、「ページ毎貼付限度数」で制限することを特徴とする。
【発明の効果】
【００１７】
本発明によれば、ソーシャル・ネットワーキング・サービスを利用して、インターネット上でユーザーが商品比較をしやすい環境を実現するソーシャル・ネットワーキング・サービス用広告システムを提供することができる。
【００１８】
すなわち、本発明によれば、各店舗の運営者は、他社のインターネット上のページに、自社の商品等のページへのリンクを貼り付けて、その自社の商品等の広告を行うことができる。
【００１９】
また本発明によれば、自社のページに他社へのリンクを貼られてしまうが、自社も他社へのリンクを貼ることができるので、この点について納得してソーシャル・ネットワーキング・サービスへ参加するようにすれば、競合商品へのリンクが貼られ、ユーザーとしては商品比較などを容易に行えるようになるという効果を奏する。
【００２０】
また本発明によれば、自社の商品等のページへのリンクを貼り付けることができる、他社のインターネット上のページの数を制限するようにしたので、貼り付けの効果すなわち広告効果の高い他社ページを選択して貼り付けるようになり、その結果、自社商品等と関連性の高い他社ページにその自社商品等へのリンクを貼り付けることになり、商品購入を検討するユーザーにとっては利用価値が高く、使いやすいインターネット上の商店街を構築することができるという効果がある。
【００２１】
また本発明によれば、各インターネット上のページにおいて、他社の商品等のページへのリンクを貼り付けることができる数を制限するようにしたので、リンクを貼ることの対価を高く支払う人のページへのリンクを貼り付けるようにしたり、リンクを貼ること自体は無料にしてリンクを貼る手続きを早く行った人のページへのリンクを貼り付けるようにしたりすることができる。
【００２２】
また本発明によれば、各インターネット上のページにおいて、他社の商品等のページへのリンクを所定期間ごとに更新するようにしたので、その所定期間ごとにリンクを見直すことができ、参加者全員に平等な環境を提供することができる。
【００２３】
また本発明によれば、ソーシャル・ネットワーキング・サービスへの参加が許可された店舗しかリンクを貼ることができないので、信用できない業者などのページへのリンクを貼られるようなことをなくすることができる。
【発明を実施するための最良の形態】
【００２４】
以下、本発明による実施の形態について図面を参照して説明する。
【００２５】
図１は、本発明によるソーシャル・ネットワーキング・サービス用広告システムの一実施の形態の構成を示すブロック図である。
【００２６】
図１に示すように、本実施の形態のソーシャル・ネットワーキング・サービス用広告システムは、リンク設定用サーバー１とソーシャル・ネットワーキング・サービス用サーバー２と端末装置３と端末装置４とをネットワーク５で接続して構成される。
【００２７】
リンク設定用サーバー１では、リンクを貼るページのアドレスとそのリンク先のアドレスとが対応付けられてリンク設定データとして後述の記憶手段１３に記憶され、この記憶手段１３内のデータを管理し、ソーシャル・ネットワーキング・サービス用サーバー２と連係し、ソーシャル・ネットワーキング・サービスを実現するソフトウェアプログラムが、後述の制御手段１１にて動作する。
【００２８】
また、ソーシャル・ネットワーキング・サービス用サーバー２では、複数のユーザーによって作り上げられた掲示板等のソーシャル・ネットワーキング・サービス（以下「ＳＮＳ」ともいう）自体が提供するＳＮＳ表示データや、そのＳＮＳ表示データの各ユーザー自身のページに設けられた広告スペースに、どの広告データを貼り付けるかの対応付けを示す貼付け広告情報が、後述の記憶手段２３に記憶され、この記憶手段２３内のデータを管理し、リンク設定用サーバー１と連係し、ソーシャル・ネットワーキング・サービスを実現するソフトウェアプログラムが、後述の制御手段２１にて動作する。
【００２９】
端末装置３や端末装置４は、ユーザーが操作するたとえばパソコン等の装置であり、ソーシャル・ネットワーキング・サービス用サーバー２に対してデータ送信し、ソーシャル・ネットワーキング・サービス用サーバー２からのデータを受信して表示するブラウザ等の、ソーシャル・ネットワーキング・サービスを実現するアプリケーションプログラムが後述の記憶手段３３等に記憶され、このアプリケーションプログラムが制御手段３１等にて動作する。
【００３０】
なお、ネットワーク５は、たとえばイーサネット（登録商標）やトークンリング等のＬＡＮやそのほかイントラネット、インターネットなど、また有線、無線を問わず、また通信プロトコルも問わず、どのようなネットワークでもかまわない。ネットワーク５に接続された各装置のそれぞれには、予めネットワーク上のアドレスが設定されており、各装置はこのアドレスによって識別され、ネットワーク５に接続された他の装置との通信を行う。
【００３１】
図２は、図１に示したリンク設定用サーバー１の構成を示すブロック図である。
【００３２】
リンク設定用サーバー１は、リンク設定用サーバー１全体の動作を制御するＣＰＵやＭＰＵなどの制御手段１１と、たとえばＳＮＳの運用担当者がリンク設定用サーバー１に対する操作、指示等を入力したり、リンク設定用サーバー１が運用担当者に対して様々な情報を表示したり出力する入出力手段１２と、リンク設定用サーバー１の動作に必要なプログラムおよびパラメータ等のほか、上述のリンク設定データなどを記憶する記憶手段１３と、図１に示したソーシャル・ネットワーキング・サービス用サーバー２とのインタフェースであるネットワーク接続手段１４とを有して構成される。
【００３３】
入出力手段１２としては、たとえば、入力のためにキーボードやマウス等が用いられ、出力のためにディスプレイ装置等が用いられる。他の装置から操作可能な構成においては入出力手段１２は必須構成ではない。
【００３４】
図３は、図１に示したソーシャル・ネットワーキング・サービス用サーバー２の構成を示すブロック図である。
【００３５】
ソーシャル・ネットワーキング・サービス用サーバー２は、ソーシャル・ネットワーキング・サービス用サーバー２全体の動作を制御するＣＰＵやＭＰＵなどの制御手段２１と、たとえばＳＮＳの運用担当者がソーシャル・ネットワーキング・サービス用サーバー２に対する操作、指示等を入力したり、ソーシャル・ネットワーキング・サービス用サーバー２が運用担当者に対して様々な情報を表示したり出力する入出力手段２２と、ソーシャル・ネットワーキング・サービス用サーバー２の動作に必要なプログラムおよびパラメータ等のほか、上述のＳＮＳ表示データなどを記憶する記憶手段２３と、図１に示したリンク設定用サーバー１とのインタフェースであるネットワーク接続手段２４と、図１に示したネットワーク５とのインタフェースであるネットワーク接続手段２５とを有して構成される。
【００３６】
入出力手段２２としては、たとえば、入力のためにキーボードやマウス等が用いられ、出力のためにディスプレイ装置等が用いられる。他の装置から操作可能な構成においては入出力手段２２は必須構成ではない。
【００３７】
リンク設定用サーバー１とソーシャル・ネットワーキング・サービス用サーバー２との接続は、ネットワーク５と同様に、たとえばイーサネット（登録商標）やトークンリング等のＬＡＮやそのほかイントラネット、インターネットなど、また有線、無線を問わず、また通信プロトコルも問わず、どのようなネットワークで接続されてもよいし、バス接続されてもかまわない。
【００３８】
また、リンク設定用サーバーおよびソーシャル・ネットワーキング・サービス用サーバーの機能を併せ持つ１台のサーバーを用いるようにしてもよい。
【００３９】
図４は、図１に示した端末装置３の構成を示すブロック図である。
【００４０】
図１に示した端末装置３および４は、本実施の形態に関わる基本構成は同様であるので、ここでは代表して端末装置３について説明する。
【００４１】
端末装置３は、端末装置３全体の動作を制御するＣＰＵやＭＰＵなどの制御手段３１と、ユーザーが端末装置３に対する操作、指示等を入力したり、端末装置３がユーザーに対して様々な情報を表示したり出力する入出力手段３２と、端末装置３の動作に必要なプログラムおよびパラメータ等のほか、ソーシャル・ネットワーキング・サービス用広告システムの端末装置側のソフトウェアプログラム（たとえばブラウザ）などを記憶する記憶手段３３と、図１に示したネットワーク５とのインタフェースであるネットワーク接続手段３４とを有して構成される。
【００４２】
入出力手段３２としては、たとえば、入力のためにキーボードやマウス等が用いられ、出力のためにディスプレイ装置等が用いられる。
【００４３】
次に、本実施の形態のソーシャル・ネットワーキング・サービス用広告システムの動作について説明する。
【００４４】
本実施の形態のソーシャル・ネットワーキング・サービス用広告システムによれば、ユーザーは、端末装置３および４を用いてソーシャル・ネットワーキング・サービス用サーバー２にアクセスし、ソーシャル・ネットワーキング・サービスの提供を受ける。このソーシャル・ネットワーキング・サービスの中には、店舗のページの閲覧も含まれており、そのページから商品購入の申し込みもできるようになっている。
【００４５】
店舗の運営者は、商品販売の機会を増やすために、自社のページをユーザーが数多く閲覧することを希望する。そこで、本実施の形態では、自社商品と関連のある他社のページに、自社商品のページへのリンクを容易に貼ることができるようにして、自社商品のページのユーザーによる閲覧回数を増加させるようにしている。
【００４６】
ここで、本実施の形態において、店舗の運営者が自社のページへのリンクを、自社商品と関連のある他社のページに貼る操作について説明する。
【００４７】
図５は、本実施の形態のシステムにおいて所定のページに他のページへのリンクを貼る方法について説明する図であって、（ａ）、（ｂ）および（ｃ）はその手順にそって入出力手段３２の表示画面を示す図である。
【００４８】
図５（ａ）、（ｂ）および（ｃ）は、店舗Ａのページに対して店舗Ｂのページへのリンクを貼る場合の操作を説明する図である。
【００４９】
まず、店舗Ｂの運営者は、端末装置３にてブラウザ等を起動して入出力手段３２に店舗Ａのページを表示する。
【００５０】
なお、本実施の形態では、自社のページへのリンクを貼り付けることができる、他社のインターネット上のページの数を、「ユーザー毎貼付限度数」で制限するようにしており、ここでは、この「ユーザー毎貼付限度数」を２に設定している。
【００５１】
また、本実施の形態では、各ページにおいて、他のページへのリンクを貼り付けることができる数を、「ページ毎貼付限度数」で制限するようにしており、ここでは、この「ページ毎貼付限度数」を３に設定している。
【００５２】
これらの２や３といった設定された数は、リンク設定用サーバー１の記憶手段１３に記憶され、制御手段１１による処理の際に参照される。
【００５３】
図５（ａ）では、Ａのページを入出力手段３２に表示した状態を示しており、この図５（ａ）では、Ａのページに他ページへのリンクがまったく貼り付けられていない状態である。
【００５４】
制御手段１１では、Ａのページに貼り付けられているリンクの数（ここでは０である。）が、ページ毎貼付限度数（ここでは３である。）に達していないかを判断し、達しているならば、これ以上のリンクの貼り付けを許可しないために、入出力手段３２に表示されたＡのページにリンク貼り付け登録ボタン３２ａを表示しない。
【００５５】
また制御手段１１では、今回入出力手段３２にＡのページを表示しているユーザが誰であるかを認識し（たとえばＳＮＳシステム利用開始時にユーザーＩＤでログインさせることで認識可能である）、このユーザ（ここではＢ）が他のページに自分のページへのリンクを貼り付けている数（ここでは０とする。）が、ユーザー毎貼付限度数（ここでは２である。）に達していないかを判断し、達しているならば、これ以上のリンクの貼り付けを許可しないために、入出力手段３２に表示されたＡのページにリンク貼り付け登録ボタン３２ａを表示しない。
【００５６】
ページ毎貼付限度数およびユーザー毎貼付限度数の２つの条件がクリアされたならば、図５（ａ）に示すように、入出力手段３２に表示されたＡのページにリンク貼り付け登録ボタン３２ａを表示する。
【００５７】
今回、端末装置３を操作しているＢが、Ａのページに対して自分のページへのリンクを貼り付けるのであれば、Ｂは、入出力手段３２に表示されたＡのページのリンク貼り付け登録ボタン３２ａをクリックする。この操作を受けたソーシャル・ネットワーキング・サービス用サーバー２の制御手段２１では、その旨をリンク設定用サーバー１に通知し、これを受けた制御手段１１では、記憶手段１３からアドレス入力用画面（図５（ｂ）参照）を読み出して入出力手段３２に表示する。
【００５８】
端末装置３を操作しているＢは、入出力手段３２に表示された図５（ｂ）のアドレス入力欄３２ｃに、リンク先のアドレスすなわち広告したいＢ自身のアドレスを入力する。
【００５９】
この入力を受けたソーシャル・ネットワーキング・サービス用サーバー２の制御手段２１では、その内容をリンク設定用サーバー１に通知し、これを受けた制御手段１１では、Ａのページとアドレス入力欄３２ｃに入力されたアドレスとを対応付けて、リンク設定データとして記憶手段１３に記憶する。
【００６０】
なお、リンクの貼り付けには、ブログのトラックバックの仕組みを利用してもよい。
【００６１】
図５（ｃ）では、Ｂのページへのリンクが貼り付けられた状態の、Ａのページを入出力手段３２に表示している。
【００６２】
このとき、Ａのページに貼り付けられているリンクの数（ここでは１である。）は、ページ毎貼付限度数（ここでは３である。）に達していないので、Ａのページにはリンク貼り付け登録ボタン３２ａはまだ表示される。
【００６３】
また、先に貼り付けられたＢのページへのリンクもリンクボタン３２ｂにおいて表示される。
【００６４】
その後、ユーザがこのリンクボタン３２ｂをクリックすると、この操作を受けたソーシャル・ネットワーキング・サービス用サーバー２の制御手段２１では、入出力手段３２の表示内容をＢのページへと切り替える。
【００６５】
図６は、本実施の形態のシステムにおいてリンクが貼られた状態のページを示す図であり、店舗Ａ〜店舗Ｅの６者がいるものとして、（ａ）はＡのページを示す図であり、（ｂ）はＢのページを示す図であり、（ｃ）はＣのページを示す図であり、（ｄ）はＤのページを示す図であり、（ｅ）はＥのページを示す図である。
【００６６】
図６（ａ）に示すように、店舗Ａのページには、Ｂ、Ｃ、Ｅの３者へのリンクが貼り付けられており、この時点でページ毎貼付限度数（ここでは３である。）に達しているので、Ａのページにはリンク貼り付け登録ボタン３２ａは表示されない。
【００６７】
図６（ｂ）に示すように、店舗Ｂのページも、Ａ、Ｃ、Ｄの３者へのリンクが貼り付けられており、この時点でページ毎貼付限度数（ここでは３である。）に達しているので、Ｂのページにはリンク貼り付け登録ボタン３２ａは表示されない。
【００６８】
図６（ｃ）に示すように、店舗Ｃのページでは、Ｂ、Ｄの２者へのリンクが貼り付けられており、この時点ではまだページ毎貼付限度数（ここでは３である。）に達していないので、Ｃのページにはリンク貼り付け登録ボタン３２ａが表示される。
【００６９】
図６（ｄ）に示すように、店舗Ｄのページでは、Ｅの１者へのリンクが貼り付けられており、この時点ではまだページ毎貼付限度数（ここでは３である。）に達していないので、Ｄのページにはリンク貼り付け登録ボタン３２ａが表示される。
【００７０】
図６（ｅ）に示すように、店舗Ｅのページでは、１つもリンクが貼り付けられておらず、この時点ではまだページ毎貼付限度数（ここでは３である。）に達していないので、Ｅのページにはリンク貼り付け登録ボタン３２ａが表示される。
【００７１】
ところで、図６（ａ）〜（ｅ）は、自分が貼り付けたリンクの数が、ユーザー毎貼付限度数（ここでは２である。）に達していないユーザ（店舗Ａ）が見た場合の表示である。
【００７２】
これに対して、店舗Ｂ〜Ｅのそれぞれは、すでに、他社のページ２ヶ所に、自社のページへのリンクを貼り付けているので、この時点でユーザー毎貼付限度数（ここでは２である。）に達しており、店舗Ｂ〜Ｅが店舗Ｃ〜Ｅのページを見たときにはリンク貼り付け登録ボタン３２ａは表示されない。
【００７３】
また本実施の形態では、本発明によれば、各ページにおいて他社のページへのリンクを貼り付けておく期間を予め定め、その期間が過ぎたならばそのリンクを消去するようにしてもよい。リンクを消去してページ毎貼付限度数未満になったならば、別の人がリンクを貼り付けてもよいし、同じ人がリンクを貼り付けてもよく、所定期間ごとに更新するようにできる。
【００７４】
また本発明によれば、ソーシャル・ネットワーキング・サービスへの参加が許可された店舗しかリンクを貼ることができないので、信用できない業者などのページへのリンクを貼られるようなことをなくすることができる。
【００７５】
なお、リンクの貼り付けの許可は、リンク貼り付け登録ボタン３２ａのクリックが早かったユーザーに対して行ってもよいし、これとは別に、リンクの貼り付けに対して広告料の支払を求めるようにして、高い広告料を支払うユーザーがリンクを貼り付けられるようにしてもよい。
【図面の簡単な説明】
【００７６】
【図１】本発明によるソーシャル・ネットワーキング・サービス用広告システムの一実施の形態の構成を示すブロック図である。
【図２】図１に示したリンク設定用サーバー１の構成を示すブロック図である。
【図３】図１に示したソーシャル・ネットワーキング・サービス用サーバー２の構成を示すブロック図である。
【図４】図１に示した端末装置３の構成を示すブロック図である。
【図５】本実施の形態のシステムにおいて所定のページに他のページへのリンクを貼る方法について説明する図であって、（ａ）、（ｂ）および（ｃ）はその手順にそって入出力手段３２の表示画面を示す図である。
【図６】本実施の形態のシステムにおいてリンクが貼られた状態のページを示す図であり、店舗Ａ〜店舗Ｅの６者がいるものとして、（ａ）はＡのページを示す図であり、（ｂ）はＢのページを示す図であり、（ｃ）はＣのページを示す図であり、（ｄ）はＤのページを示す図であり、（ｅ）はＥのページを示す図である。
【符号の説明】
【００７７】
１  リンク設定用サーバー
２  ソーシャル・ネットワーキング・サービス用サーバー
３  端末装置
４  端末装置
５  ネットワーク
１１  制御手段
１２  入出力手段
１３  記憶手段
１４  ネットワーク接続手段
２１  制御手段
２２  入出力手段
２３  記憶手段
２４  ネットワーク接続手段
２５  ネットワーク接続手段
３１  制御手段
３２  入出力手段
３２ａ  リンク貼り付け登録ボタン
３２ｂ  リンクボタン
３２ｃ  アドレス入力欄
３３  記憶手段
３４  ネットワーク接続手段
【図１】
2008191750.tif 000003
【図２】
2008191750.tif 000004
【図３】
2008191750.tif 000005
【図４】
2008191750.tif 000006
【図５】
2008191750.tif 000007
【図６】
2008191750.tif 000008